(57)【要約】      （修正有）【課題】軽量、コンパクト、保存が半永久的、大容量、相互悪影響や電磁波等の悪影響なく、低価格、運用簡便な光ディスクを利用した運営管理ツール。色暗号化したシートの連結合成により無限大に制御数を設定し、制御精度を向上する。【解決手段】光ディスクメディアに色暗号による安全制御、見せたくないものを見られた際の追跡対策可能な色暗号安全制御をプログラムされた作動プログラムを内蔵し、コミュニケーション方法として、受益者負担による預け渡しで回遊させ、光ディスにその時点で保存された内容を見ながら協力同意し職務し、必要内容を保存する事を繰り返して行く方法で、多くの保存内容を見ながら同時に起こる協力同意を交換し、自動的に秩序した運営が行われる。利用者の安心や満足の達成と向上を図る。色暗号制御の鍵への応用で制御精度を高める。【選択図】  図１
2004355590.tif 000002
【特許請求の範囲】
【請求項１】
光ディスクを利用したＳＣコミュニケーションの活用方法
【請求項２】
医療・福祉ごとや医療・福祉事業者ごと等の特定の場においてのＣＳＤカードを利用したＳＣコミュニケーションの活用方法
【請求項３】
ＣＳＤカードを利用したＳＣコミュニケーションによる狭小から巨大までの組織証としての活用方法
【請求項４】
ＣＳＤカードに内蔵した、１２色環を基とした色の角度及び濃度並びに彩度さらに明度を基準度合いとした色暗号の活用方法
【請求項５】
ＣＳＤカードに内蔵した、利用者の決定した色暗号とその他の利用者の決定した色暗号を合成した合成色を色暗号として活用する方法
【請求項６】
ＣＳＤカードに内蔵した、複数の決定した色暗号を合成した合成色を色暗号として活用する方法
【請求項７】
記録保存された内容の検索に漠然とした目的別で広範囲の検索から、的確検索までを連結することができるシステムプログラム方法
【請求項８】
見られたくない記録保存された内容を見られた場合、見られた記録保存された内容から逆に動作追跡でき、作動させた発生場所を特定し、その後の対策がとれる方法を組み込めるシステムプログラム方法
【請求項９】
ＣＳＤカードに内蔵した色暗号を利用して鍵の開閉暗号として活用する方法
【発明の詳細な説明】
【０００１】▲１▼発明のあらまし
本発明は、医療・福祉事業者が、光ディスクやＣＳＤカードを連携媒体とするために、顧客者へ預け渡し、顧客者が施設やサービスなどの医療・福祉事業者の事業を利用をする際に持参提出することで、光ディスクやＣＳＤカードを医療・福祉事業者が全体で利用したり、独自の光ディスクやＣＳＤカードを利用しながら、光ディスクやＣＳＤカードに記録保存された内容をみることで顧客者の安心と満足を満たし生活の向上を図り、医療・福祉事業運営の向上と管理者や法的整備を必要とせず自主独立し秩序した形で記録保存された内容のコミュニケーションを行うＳＣコミュニケーションである。このコミュニケーションの方法は、様々な狭小から巨大な組織までの組織証等の場面や、管理者や法的整備を必要とせず自主独立し秩序した形の組織運営が必要な場面の運営方法として応用範囲の広いコミュニケーション方法である。また、ＣＳＤカードに内蔵した色暗号制御は、相互の満足に応えるだけのシステムプログラムが行われ、鍵への応用の場面でもこれまで鍵の使用頻度で劣化した鍵そのものの制御部分を劣化させず、他の物との相互影響もなく利用できピッキング開錠できない制御方法である。
【発明に属する技術分野】
【０００２】▲２▼今までのものの欠点
本発明は、医療・福祉を取り巻く、様々な関係施設や関係サービス、その他関係職務の事業者は、独自の顧客リストや情報記録保存を行い、独自以外の情報は、顧客者や事業者へ質問し、情報収集して職務していたが、顧客者が利用したその時点の情報が不足している場合も多々あり、職務遂行や顧客者の安心と満足を満たす、又生活向上を図れるものとはなっていないのが実状であり、さらに、技術や職務の高度化につれ、利用したその時点の情報は非常に必要性が高まりながら、現状以上の効率的方法を持ち得ず、何らかの連携システムを必要とされ、対応に迫られている状況である。また、現在あるコミュニケーションの方法は一方通行の方法であったり、管理者や法的整備を必要としたり、行政の財政投融資等が必要な方法や顧客者の記憶に頼る方法以外なく、さらに、これまでの特許内容では、高額な初期投資が必要なものであったり、利用する際に多額の料金が必要となるものである。このため、その他の組織的仕組みを構成する存在は、同様の悩みを抱えており、これらを解決する運営管理システムに関する。また、居住生活ではピッキング開錠を大きな問題として抱え、これまでの鍵の制御であった０から９までの数字の組合せ技術による鍵の制御数には限りが明確化し、新しいドア類の鍵の誕生を望まれておりこれまでの鍵の方法と全く異なる方法に関する。
【従来の技術】
【０００３】▲３▼その欠点を解決するためにどう考えたか
従来の情報処理技術分野においても様々な発明が提案され、特開昭６０−５４５５０号公報では病院内情報処理を電子化して転記作業の重複解消を提案、特開昭６１−１６１５７１号公報では電子情報を格納したカードを各患者認証のために使用する提案、特開昭６１−２６０３５６号公報では外来患者の受付事務、カルテ検索、順番待ちの対応等に磁気カードを利用する提案、特開昭６２−２４７４６３号公報ではメモリーカードに検査データを蓄積することが記載され、特開昭６２−２６９５３４号公報では病院内の様々な手段をひとつのネットワークシステムで処理する提案、特開平５−２６１３号公報ではネットワークシステム利用により複数の病院で共通のデータベースを利用する提案、特開平５−３５７５６号公報では病院内で使用する情報処理装置においてオペレータの操作軽減の提案、特開平５−２２５２１２号公報では各患者に対応したＩＤカードに各種情報を蓄積させる提案、特開平６−８３８８０号公報ではデータベースに蓄積された診療情報を利用しやすいように表示する提案、特開２００２−１７０２８５号公報ではＤＶＤ−ＲＡＭを矩形名刺サイズカードとして形態可能にして利用する提案、特開平１１−３４５２６３号公報では個人情報カードを利用してサービスを受ける提案がある。しかしながら、医療・福祉事業者が負担とならない程度で利用でき、各々の医療・福祉事業者が独自に利用したその時点で指示や指導などを記録保存でき、また、他の医療・福祉事業者の記録保存した内容を見ることができ、さらに、他に見せたくないものは見れないものとして記録保存でき、顧客者はそれら全部を見ることが出来る安全制御を内蔵したメディアを開発し、そのメディアは、回遊させるために顧客者が簡単に持ち運べ、保存能力においては容量が大量であり、劣化時間に左右されない品質を保有し、機器類の設置のないところや機器類を作動できない場所や人でも利用できる対策として、紙のノートや磁気カード、ＩＣチップとの併用並びに併合ができるものを必要とし、これらの条件を満たすには、メディアを医療・福祉事業者が顧客者へ預け渡し、顧客者が各医療・福祉事業者を利用する際に持参提出することで、メディアが媒体となって連携でき解決できるが、システムプログラムにおいてはどの様な高度な安全制御においても、完全に記録保存した内容を守ることは不可能であり、その前提から、記録保存した内容が漏れた際に追跡できることを考慮したシステムプログラムであれば発覚場所が限定でき、記録保持の対策が行え、後の対策方法が行える。また、鍵への色暗号の応用では、使用頻度が高くても制御部分は劣化せず、色合成で無限大の制御数が利用できこれまでに例のない鍵を創ることができる。
【発明が解決しようとする課題】
【０００４】
第１の課題は、自由に関連場所を回遊させる又はするメディアを創造しなければならない。第２の課題は、自由に関連場所を回遊させる又はするメディアは、どこに帰属することで連携メディアとできるかの解決を図らなければならない。第３の課題は、メディアの預け渡し者はメディア利用が負担とならない程度でなければならない。第４の課題は、連携するには、各々の利用者や預かり者が見せたい物と見せたくない物が自由に選択管理でき、顧客者や預かり者は全部を自由に見ることが出来なければならない。第５の課題は、対話型となれるコミュニケーションを大きな目的とすることである。第６の課題は、安全制御はどんなに高度に仕組んでも巧妙に開錠されるため、開錠された順次を追跡しその後の対策が行える方法を考えられる作動システムプログラムとしなければならない。第７の課題は、記録保存した内容を漠然としたものから、明確な詳細なものへと検索できる連結システムをプログラムすることである。例えば、病院の記録保存したもの
2004355590.tif 000003
の等々の手順ができる必要である。第８の課題は、多く事業者が利用する事を目的とするため大容量の記憶メディアを必要とする。第９の課題は、手軽に持ち運びが出来なければなれません。第１０の課題は、コンピューター機器が設置されていない所や作動できない場所や人でも利用できるものでなければならない。第１１の課題は、将来の資料とするために歴史的な統計や分析資料となれなければならない。第１２の課題は、ミュニケーションの延長線上になる事業者も利用が出来る作動システムプログラムでなければならない。第１３の課題は、電磁波等の電気的、磁場的、波長的影響を通常生活状態で受けないことである。第１４の課題は、緊急時に特定の人が全記録保存された内容を見ることができるシステムプログラムであることが必要である。第１５の課題は、管理者や法的整備を必要とせず、行政等の支援がなくても自主独立し、秩序した形で運営できるコミュニケーションでなければならない。第１５の課題は、鍵へ応用する色暗号はピッキング開錠ができず無限大に制御暗号数が創れ、これまでの鍵の機能を総て満たし、携帯性の向上が図れるものでなければならない。
【課題を解決するための手段】
【０００５】
自由に関連場所を回遊させる又はするメディアは、誰でも利用できることが必要であり、持ち運ぶために軽量、コンパクトで、あらゆるメディアと悪い相互影響を及ぼさず併用併合が可能で、多くの利用を求めるため記録容量は大容量であり、材質や保存時間の耐久性に優れ、電磁波等の電気的、磁場的、波長的影響を通常生活状態で全くない品質で、負担のかからない価格で利用できる条件を絞り込むと光ディスクというメディアである。
【０００６】
メディアの帰属は、事業という目的のために顧客者の安心と満足を満たさなければならず、その点からして事業を行う事業者が預け渡し者になることが望ましく、また、事業者が預け渡し者になることで、コミュニケーションが起こりやすく、事業の延長線上にあるものまで連携の可能性が生まれてくる。また、顧客者は各事業者利用の際に持参提出することで各事業者に記録保存してもらい、この行動の繰り返しや関係事業者などを利用する際にできるだけ持参提出することで記録保存した内容が連携され、コミュニケーションとなり、医療・福祉事業者全体や医療・福祉事業者独自のメディアとして活用でき、同様に他の応用利用においても当初の受益者負担による預け渡しで行う方法が最適である。
【０００７】
図２、図３、図４，図６参照。色暗号の安全制御並びに作動システムを利用したドロータイプのワープロシステムソフトアプリケーションを内蔵した光ディスクとし、色暗号や作動のシステムプログラムを内蔵した光ディスクをＣｏｌｌａｒＳｅｃｕｒｉｔｙ  Ｄｉｓｃ  Ｃａｒｄと名付けＣＳＤカードと呼び、内蔵していない光ディスクやＣＳＤカードを媒体として連携する行動をＳＣコミュニケーション（Ｓｃｒａｍｂｌｅ  Ｃｏｎｃｕｒｒｅｎｃｅ  Ｃｏｍｍｕｎｉｃａｔｉｏｎ）と称する。
【０００８】
このため、ＣＳＤカードに内蔵したシステムソフトアブリケーションによって医療・福祉事業者及び顧客者が自由に独自色を決定することで色暗号とし、他の医療・福祉事業者によって記録保存をされた内容を見る場合のために、内蔵した安全制御のシステムソフトアプリケーションによって独自色を決定する際に自動的にメディアの色の一覧表に記録保存させ、他の医療・福祉事業者のものを見ることが出来るようにし、顧客者の独自色だけは、さらにシステムプログラムを追加し、顧客者の色暗号によって一覧表を見れるようにし、ＣＳＤカード利用には利用許諾の契約書を内蔵させ、許諾のない医療・福祉事業者や顧客者は利用できないようにする。また、色暗号は、順位別グループシートと順列別グループシートの多重連結となっており、漠然とした検索が可能なシステムプログラムであり、記録保存した内容が見られた場合は、色暗号シートの色路を逆に順次を追跡できる連結シートになっており、発覚地を検証でき、漏れた後のシステムプログラム対策として、作動させた利用者は利用者名の表示欄に配色が施し表示され、他の記録保存された内容を見る場合、見るためのシートが表示され、譲り渡し者が元に戻さない限り、見た内容と日時が記録保存され、メディア利用者誰でもその記録保存された見た内容と日時を見ることができる。
【０００９】
光ディスクやＣＳＤカードは紙式のポケット付き手帳やＩＣチップカード、磁石カード等との影響が全くないため、併用併合ができ、コンピューター機器のないところや動作できないところや人にも利用する機会を与えるメディアであり、そのため光ディスクやＣＳＤカード利用のＳＣコミュニケーションは、組織を形成する場面では管理者や法的整備を必要とせず自主独立し秩序した形で応用活用できる。
【００１０】
光ディスクやＣＳＤカードの保存能力については、材質や保存時間の耐久性に優れ、電磁波等の電気的、磁場的、波長的影響を通常生活状態で全くない優良な物であり、歴史的に情報を見ることができ、様々な資料として利用できる。
【００１１】
光ディスクやＣＳＤカードは記録容量も大きいことから、あらゆる事業の延長線上にあるもの、例えば金融や居住証等々広範囲のコミュニケーションができる。
【００１２】
利用者が市販のコンピューターを利用し負担のない程度の媒介品である光ディスクやＣＳＤカードを医療・福祉事業者が顧客者へ預け渡し、他の医療・福祉事業者を利用する際に持参提出することで、顧客者が利用する医療・福祉事業者の指示や指導が利用したその時点で記録保存され、他の医療・福祉事業者はその内容を見ることができ、職務遂行の際の非常に優良な情報や材料になり指示や指導を的確に行え、連携した医療・福祉事業の向上や運営・管理に役立てることが出来る。
【００１３】
鍵へ応用する色暗号は無限大に暗号数が創れるように、鍵の色暗号記録保存場所の色のマス分割を鍵の製造者が分割し色暗号数を決定する。また、この保存場所は鍵全体の大きさに合わせ複数の段数を持ち、一段目は基本原色シートを決定数に合わせて設定し、それれぞれの基本原色シートの連結シートによって一段目同様の色暗号数を決定する。安全精度を高めたい場合は、この段数を必用段数セットした大きさの鍵を作成すればよい。また、光デイスクの材質は保存方法は電磁波や光などの通常生活では影響を及ぼすことも及ぼされれることもないため携帯用の様々な組み合わせが可能である。
【発明の実施の形態】
【００１４】▲４▼発明の実施の形態、その他応用例（実例）
図１及び図２参照、ＣＳＤカードをコンピューターのＣＳＤカード用記録再生機器へセットし、ＣＳＤカードに内蔵された作動システムプログラムが画面表示され、医療・福祉事業者は色暗号を決定し記録保存すると決定色が表示され、確認了承すると記録シートが表示され、連携する内容で職務上必要な内容を記録保存することができる。次に、医療・福祉事業者の決定色と顧客者の色暗号の決定指示が同時に表示され、顧客者は自由に色暗号を決定し記録保存すると決定色が表示され、確認了承すると記録シートが表示され、連携しない内容で職務上必要な内容を記録保存することができる。記録保存する内容は、担当職務の情報記録が前提条件となって、その担当の職務色の配色がシステムプログラムで行われ、検索の際に色路として利用される。これらが終了すると顧客者へ預け渡し、顧客者は他の医療・福祉事業者を利用する際に持参提示し、同様の記録保存を行い、この繰り返しが行われる事で連鎖する。
【００１５】
図３参照、配分する色は、組み合わせシステムプログラムによって次の順序で設定されている。基本１２色環として、０度＝３６０度で黄色基本原色、９０度で緑色基本原色、１８０度で青色基本原色、２７０度で赤色基本原色とする角度で３６０度分割し、それぞれの色との接点はスペクトル変還の移動色を１度づつの角度で設定し、外環から中心に向けて、中心０の白から外環１００をそれぞれの基本原色とする濃度で均等１００分割し、これを基本原色シートと命名し、さらに、彩度と明度の度合いを均等１００分割し、０の明彩の白から１００の暗の黒とする四重の色環変化調整色を配色１２色環組み合わせたシステムプログラムとし、これを色暗号原色シートと命名し、自由に選択した色はその四重の重なり合った所の任意の色を指定したことになる。色の有限数は、角度３６０度×濃度１００分割×彩度１００分割×明度１００分割＝３億６０００万色となり、合成色は、医療・福祉事業者と顧客者の２つの配色１２色環重ねあわせで、３億６０００万色×３億６０００万色＝１２兆９６００万色、２者の医療・福祉事業者と顧客者の３つの配色１２色環重ねあわせで、その３億６０００万色倍となり、連携の構図の組み合わせで顧客者を中心として幾通りもの設定が可能である。
【００１６】
図２参照、２人の利用者のそれぞれが選択した色の双方を合成するには、システ
ムプログラム設定によって、
【０００８】で組み合わせシステムプログラムしたものを２重に連結したときの１つの色に対する有限色の色を連携多重システムプログラムとして設定しておき、双方が任意決定し、作動システムプログラムの合成指示によって選択した場合は、その合成色は連結多重システムプログラムによって決定表示される。
【００１７】
図４及び図５参照、色暗号原色シートは作動プログラムの順列として、角度と濃度による基本原色シートに彩度が０‥‥９９、明度が０‥‥９９までの９８０１枚のシートを順位分類の大きい方から順に、事業分類、事業内容分科分類等のように小さい分類へ配分し、利用当初に預け渡し者が自由に設定でき、また、その後のＳＣコミュニケーション参加者も使用していない色部分を当初の預け渡し者の規則に基づいて自由に設定し、幅広く深い記録保存が可能になっている。例えば、１枚目のシート赤の角度幅３０°幅全体、濃度０から１００％、彩度０％、明度０％に病院を設定すると、このＣＳＤカードの関係する病院は全部赤の中から選択することになり、各病院の記録保存した内容を見たいと検索したときは、病院若しくは赤を選択すると表示され、ある特定の病院の、特定科を見たいときは、その病院の赤色を選択すると、記録保存した診療科全体が表示され、その中の特定科の色を開くと表示される。特定の病院を開いた場合、新規の次の新しい特定の病院用の色暗号原色シートを選択することもでき、当初の預け渡し者の規則に基づいて独自の分類設定が行え、第２順位の新しい色暗号原色シートとしてさらに９８０１枚のシートが設定され、第１順位の色と合成された色が、第２順位シートを開く鍵となる。また色の配分設定当初に別の色暗号原色シートによる顧客者の色が設定されているため、検索の際に顧客者から色を教えてもらわなければ検索できず、顧客者確認が重要な鍵になる。第１順位以降第２順位次々の９９までの順列で複式多重シートの作成が可能である。但し、緊急時の為に、ＣＳＤカードの預け渡し者は、総ての記録保存された内容を見ることが出来る様に、そのＣＳＤカードの第１順位の彩度０％の横列シートと明度０％の縦列シートの中からマスター色暗号シートを設定し、その暗号シートで総ての記録保存された内容を見ることができるように設定する。
【００１８】
作動システムプログラム、色組み合わせシステムプログラム、合成色多重システムプログラムは、ワープロ機能を持つソフトアプリケーションプログラムに互換するシステムプログラムでプログラムし、広範囲の利用が出来るようにした。
【００１９】
顧客者は、顧客者の所有するコンピューターのＣＳＤカード用記録再生機器を使用し、システムプログラムによる作動指示手順に従い、医療・福祉事業者の色暗号を決定せず、確認了承すると、次の画面表示で、医療・福祉事業者の決定色がないまま、顧客者の色暗号の決定指示が同時表示され、顧客者は自由に色暗号を決定し記録保存すると決定色が表示され、確認了承すると記録シートが表示され、顧客者の必要な内容を記録保存することができ、個人的なメモとして利用できる。
【００２０】
ＣＳＤカードを媒体とした色暗号による制御の方法は、管理者や法的整備を必要とせず自主独立し秩序した形で、薬局や託児所、会社などの組織体の証とした場面を含む、個人情報ファイルや現存する診察券や診察カードの連携高機能カードや併用併合カードとして等々、多岐分野へ応用ができる。
【００２１】
色暗号による制御の方法は、設定する角度、濃度、彩度、明度それぞれ四重の設定する均等分割割合桁数を多くしたり少くしたりの加減によって、基本原色シートの３億６０００万色が増減する。これは、読みとる装置の機械的技術レベルにより増減させ利用する事となる。
【００２２】
色暗号による制御方法をドア等のカギ類分野へ応用する場合、読みとる装置の機械的技術技術レベルでの利用で製作し、図８で表記した形状の例では、コンピュータープログラムに基本原色シートを複数設定し、鍵の制作者が色暗号を決定してセットした鍵を販売し、読み取り装置と１セットした販売方法を行う。
【発明の効果】▲６▼その結果どのような発明の効果がうまれたか
【００２３】
医療・福祉事業者は、他の医療・福祉事業者が連携するために記録保存した内容を容易に見ることができ、さらに、他に見せたくないものは見れないものとして記録保存でき、安心して医療・福祉事業者間の連携が図られ、さらに、顧客者は記録保存された内容を全部を見ることが出来るため、安心で満足でき生活向上の図れる医療・福祉事業者利用が出来る。
【００２４】
医療・福祉事業者は自由に独自のＣＳＤカードを預け渡す事が出来るため、医療・福祉毎の連携利用や関係したい機関だけでの連携利用等々の独自の連携形態を構築出来る等、独自に様々な用途や利用の方法が創造できる。
【００２５】
光ディスクやＣＳＤカードは、軽量コンパクトで材質耐久性及び保存耐久性に優れ、大容量を持ち、記録再生機器類を持ち歩く必要のない連携メディアなため、社会生活最小組織単位の家族、友人関係組織単位から地方自治や国民自治、さらに国家間などの巨大組織単位にまで、幅広い応用が出来る。
【００２６】
医療・福祉別の効果例として介護保険の例を図３を参照しながら説明する。
介護保険の場合、要介護者が顧客者の立場となり、介護施設やサービスを行う事業者が医療・福祉事業者に該当する。この場合、要介護者は基本的に自立生活が出来ないことが前提となっているため、光ディスクやＣＳＤカードを持ち回れない事もあり得る。しかし、福祉介護士やケアマネージャーが現在の職務を遂行することで代理を務める事ができ、さらに、福祉介護士やケアマネージャーの職務作業や内容の透明性が明確となり、現在喫緊問題となっている不正請求による不正支払いを未然に防ぐことができ、事業者の信頼と要介護者の安心と満足が得られ生活向上へと繋がる。
【００２７】
光ディスクやＣＳＤカードに記録保存される内容は、その時のその時点という、光時間と空間、さらに環境を一点に止めた状態で保存されるため、その一点の時間的前後や将来予測、過去の遍歴などを統計できる等、様々な幅広い利用価値が非常に高く、記録保存が度重なる毎にその度合いを増して行く。
【００２８】
医療・福祉事業者は、ＣＳＤカードを顧客者へ預け渡し、持ち回ってもらうため、連携するための費用がかからず、顧客者も負担になる費用が特別必要でないため、連携費用は無料に等しい状態である。
【００２９】
媒体として利用するシステムプログラムを内蔵する前の光ディスクや記録再生機器類は、市場に幅広く出回っており、大量生産商品の典型的価格低下している商品な為、システムプログラムを内蔵したＣＳＤカードや記録再生機器類は医療・福祉事業者にとっては、負担になるほどの金額でないことから気軽に利用でき、さらに、殆どの機関でコンピューターは導入されているため、それまでの延長線上で利用できる。
【００３０】
光ディスクやＣＳＤカードは軽量コンパクトで、他のメディアへ影響しないことから、紙式のノートや磁気カード、また、ＩＣチップカードと併用併合でき、一体型の製品とすることができる。
【００３１】
光ディスクやＣＳＤカードと他の紙式のノートや磁気カード、また、ＩＣチップカード等々との併用併合による一体型製品は、コンピューター等の記録再生機器類のない場合や機械類を動作出来ない人でも利用することができるため、様々なＳＣコミュニケーションができる。
【００３２】
ＣＳＤカードのシステムプログラムは、ワープロ機能を持つソフトアプリケーションプログラムに互換するシステムプログラムでプログラムされているため市販のコンピューターで容易に利用ができ、広範囲の利用ができる。
【００３３】
ＣＳＤカードは、光ディスクであることから電磁波等々の電気的、磁石的影響や太陽光等の光線波長の影響、湿度的影響はなく、日常生活の状態では、温度的影響も殆どなく広範囲の利用ができる。
【００３４】
ＣＳＤカードに内蔵される色暗号による作動プログラムは、必要とする記録保存された内容を協同的に繋ぎ合わせる通信の役割を担うことが目的であるため、容易に誰にでも必要な記録保存された内容を見ることができる必要性があり、その為、漠然とした仮定検索ができ、徐々に、秩序的に詳しい必要とする記録保存された内容へと検索できる方法をプログラムし、当該の専門職でなくても、関係するまたは必要とされる記録保存された内容を見ることができる。
【００３５】
介護保険などの場合、ヘルパーやケアマネージャー等が顧客者を訪問するような事業の場合、職務や作業内容が明確に判り、ヘルパーやケアマネージャー等への指示、指導ができ、密接な事業者と顧客者の関係が築ける。
【００３６】
ＣＳＤカードは、記録保存される内容が多量になるほどその内容同士が必然とコミュニケーションを始めるという現象が起こり、管理者や法的整備を必要とせず自主独立し秩序した形でこれまで創造できなかったコミュニケーションが創造される。
【００３７】
色暗号による鍵への応用では形状やサイズが自由に製作でき、これまでの鍵類とは異なり連続使用によって保存した色暗号が変化することはなく、これまでの機能を備え、携帯用の自由性に富んだ鍵となる。
【００３８】
また、これまでの鍵の制御数をはるかに越えた制御が設定できる画期的な鍵となる。
【図面の簡単な説明】
【図１】ＳＣコミュニケーション発明の連携図
Ａ事業者がＣＳＤカードに連携する職務内容及び連携しない職務内容を記録保存し、顧客者へ預け渡し、顧客者はＡ〜ｎの事業者を利用する際に持参提出し、Ａ〜ｎ事業者は連携する職務内容及び連携しない職務内容を記録保存することを繰り返す。また、各事業者は必要に応じて独自のＣＳＤカードを発行する。
【図２】ＣＳＤカード作動システムプログラムによるの作業指示概略図
ＣＳＤカード利用者は、システムプログラムにより組まれた順序に従い、利用許諾、色暗号の決定、記録保存を行う作業を行い、配色一覧表を確認しながら配色する。
【図３】本発明ＣＳＤカード色暗号の仕組み図
基本１２色環として、３６０度＝０度で黄色基本原色、９０度で緑色基本原色、１８０度で青色基本原色、２７０度で赤色基本原色とする角度で３６０度分割し、それぞれの色との接点はスペクトル変還の移動色を１度づつの角度で設定し、外環から中心に向けて、中心０の白から外環１００をそれぞれの基本原色とする濃度で均等１００分割し個のシートを色暗号原色シートと命名し、さらに、彩度と明度の度合いを均等１００分割し、０の明の白から１００の暗の黒とし色暗号シートと命名する。これらの四重の色環変化調整色を配色１２色環組み合わせシステムプログラムとし、自由に選択した色はその四重の重なり合った所の任意の色を指定したことになる。多重組み合わせの合成色暗号は、このシートの複数の組み合わせた時の合成色が任意の色を指定したことになる。
【図４】ＣＳＤカード発明の色暗号原色シート図
色暗号シートは連結多重設定シートになっており、第１順位のシートを色暗号原色シートの横順列として彩度０％〜９９％、縦順列として明度０％〜９９％の組み合わせで９８０１組のシートが設定され、それぞれが角度の０°〜３５９°と濃度０％〜９９％の位置とを組み合わせ、彩度０％の横順列と明度０％の縦順列の組み合わせである１９８の内１シートは、緊急用の場合に預け渡し者が全部を見ることが出来るようにするためのオープンマスターシートとして設定し記入用の色暗号には使用できないように設定し、彩度０％明度０％の色暗号シートは順位スタートシートとして利用する。第２順位以降の順位も同じ秩序の方法で連結し、複数の順位が連結した場合は、検索する場合に表示される色は、連結したシートの配色の合成色になる。
【図５】ＣＳＤカード発明の色暗号原色シート組み合わせ例図
漠然とした検索をするためには、色の配分範囲の大きさを必要とするため、第１順位の色暗号シートに許容範囲を設定した。角度最大許容範囲３０°、濃度・彩度・明度０〜１００％全域を第１順位の色暗号シート彩度０％明度０％のみ設定、角度最大許容範囲２０°、濃度・彩度・明度０〜７５％全域を第１順位の色暗号シート彩度０％明度１％、色暗号シート彩度１％明度０％のみ設定、角度最大許容範囲１５°、濃度・彩度・明度０〜６５％全域を第１順位の色暗号シート彩度０％明度２％、色暗号シート彩度２％明度０％、色暗号シート彩度１％明度１％のみ設定、角度最大許容範囲１０°、濃度・彩度・明度０〜５０％全域を第１順位の色暗号シート彩度０％明度３％、色暗号シート彩度３％明度０％、色暗号シート彩度１％明度２％、色暗号シート彩度２％明度１％のみ設定、角度最大許容範囲５°、濃度・彩度・明度０〜４０％全域を第１順位の色暗号シート彩度０％明度４％、色暗号シート彩度４％明度０％、色暗号シート彩度１％明度３％、色暗号シート彩度３％明度１％、色暗号シート彩度２％明度２％のみ設定しまし、これを検索で作動させると、例えば病院を選択すると、利用した病院全体の一覧表が表示され、特定病院を選択すると専門科が表示され、特定の科を選択すると専門科が記録保存した内容が表示される。また、仮に配色赤を病院としていた場合は、赤を選択すると、病院の利用した病院全体の配色一覧表が表示され、特定の赤色を選択するとその色で記録保存した内容と病院名、特定の科が表示される。記録保存した人の名前が記録されていれば、人の名前も表示される。
【図６】図４の連結略図
第１順位１番目の色暗号シートをＮ（１）とし順次Ｎ（１…ｎ）と表現し、第２順位１番目の色暗号シートのａを０〜９９までの横順列の彩度としｂを０〜９９までの縦順列の明度とし、１番目から順次ａ（０）−ｂ（０）から順にａ（０…ｎ）−ｂ（０…ｎ）と表現している。
【図７】介護保険でのＣＳＤカード利用のＳＣコミュニケーション発明の利用図
介護契約受託者である介護事業者がＣＳＤカードへ介護契約内容を記録保存し要介護者へ預け渡し、同時に担当介護士の時計内蔵ＰＤＡへ介護契約内容を記録保存し時計内蔵ＰＤＡを介護士に携帯持参させ、介護した内容を毎回介護士時計内蔵ＰＤＡでチェックし、要介護者のＣＳＤカードへ記録保存し、帰社後同じ内容を１日の報告書として介護事業者のマスターコンピューターへ記録保存し、契約先全体の要介護者介護記録を管理し、毎月国民健康保険団体連合会へ報酬請求する。ケアマネージャーは、介護事業者のマスターコンピューターへ記録保存されたうちの担当先の内容をケアマネージャー用コンピューターへ記録保存し、介護者を巡回し、マネージメントサポートし、保険者である市町村及び特別区へ定期的に報告する。保険者である市町村及び特別区は国民健康保険団体連合会から報酬支払い指示のあった内容とケアマネージャーから報告された介護記録を検証し、介護事業者へ報酬を支払う。要介護者は、介護保健関係や関連施設を利用する場合に各事業者へ持参提出し、各必要内容を記録保存してもらう。
【図８】鍵への応用の例図
開場するための鍵を光デイスクであるＣＤ、ＭＤ、ＭＯ、ＤＶＤと同様の材質製法にて開錠鍵とする形状に合わせた形にメディアを製造し、１からｎ数の色暗号を記録保存し、色暗号読み取りＣＣＤによりレンズを通して色暗号を読み取り解析集積回路により色暗号を解読してドアロックシリンダーを作動させる。基本原色シートから決定した色暗号１〜ｎは複数の段数を持ちその組み合わせにより合成色暗号として利用する。その為、色暗号読み取りＣＣＤ及びレンズはその段数だけセットした装置となる。この図では一般的な鍵を例に表記し、２段の合成暗号とした。
【図９】鍵の色暗号記録保存場所例図
１からｎ数の色暗号を記録保存場所は、鍵の製作者が一定のマスによって分割し、その為色暗号の数は鍵の製作者が決定する。
【符号の説明】
１．Ａ事業者
２．他の事業者へ顧客者が持参提出
３．Ｂ〜ｎ事業者
４．使用許諾契約内容記述
５．配色
６．事業者名
７．配色
８．要介護者名
９．配色一覧表
１０．配色
１１．登録者名
１２．オリジナル
１３．新規
１４．角度
１５．濃度
１６．彩度
１９．明度
２０．配色一覧表で確認
２１．１２色環から選んでクリックすると配色される色暗号決定表示
２２．記録保存シート
２３．連係情報は記が表示される
２４．接合する任意の点の色が選ばれる
２５．０度黄色
２６．１度づつスペクトル順列色変化する
２７．均等１００分割によって濃度が順列色変化し、中心を０として白になり外環１００で基本原色とする
２８．９０度緑色
２９．１８０度青色
３０．２７０度赤色
３１．彩度０１％
３２．明度００％
３３．基本原色シート
３４．彩度９９％
３５．明度００％
３６．彩度０１％
３７．明度９９％
３８．彩度９９％
３９．明度９９％
４０．角度  ７５〜１０５°
４１．濃度  ０〜１００％
４２．彩度  ０１％
４３．明度  ００％
４４．設定色  赤
４５．設定  病院
４６．特定設定
４７．角度  １００°
４８．濃度  ９２％
４９．彩度  ０ｎ％
５０．明度  ０ｍ％
５１．設定色  赤
５２．設定  病院
５３．特定設定  ｎｍ病院
５４．独自の新規シートへ移動可能
５５．角度  ７５〜１０５°
５６．濃度  ０〜１００％
５７．彩度  ０１％
５８．明度  ００％
５９．設定色  赤
６０．設定  病院
６１．特定設定
６２．Ｎ（１…ｎ）
６３．０−０
６４．０−１
６５．０−２
６６．０−３
６７．０−４
６８．０−ｎ
６９．１−０
７０．２−０
７１．３−０
７２．４−０
７３．ｎ−０
７４．ｎ−ｎ
７５．ａ（０…ｎ）−ｂ（０…ｎ）
７６．第２順位
７７．Ｎ（１）ａ（０…ｎ）−ｂ（０…ｎ）
７８．第１順位
７９．Ｎ（２）ａ（０…ｎ）−ｂ（０…ｎ）
８０．第３順位
８１．Ｎ（３）ａ（０…ｎ）−ｂ（０…ｎ）
８２．第ｎ順位
８３．Ｎ（１…ｎ）ａ（０…ｎ）−ｂ（０…ｎ）
８４．Ｎ（１…ｎ）
８５．ａ（１…ｎ）
８６．−ｂ（１…ｎ）
８７．順列シート番号
８８．シート縦順列番号明度
８９．シート横順列番号彩度
９０．支払い
９１．国民健康保険団体連合会
９２．報酬請求
９３．審査
９４．支払い指示
９５．介護事業者（介護契約受託者）
９６．（１）ＣＳＤカードへ介護契約内容を記録保存し要介護者へ預け渡す。
９７．（２）介護士ＰＤＡへ介護契約内容を記録保存しＰＤＡを介護士に携帯させる。
９８．（３）介護した事を毎回介護士ＰＤＡを介して記録保存管理する。
９９．ケアマネージャー
１００．介護事業者の記録を転写して要介護者を巡回し、記録を許にマネージメントする。
１０１．保険者の記録保管専用コンピューターへ転写保存する。
１０２．保険者（市町村及び特別区）
１０３．支払い指示書類とケアマネージャー記録とを整合し支払い
１０４．日報の代わりに記録保存する
１０５．介護士ＰＤＡ
１０６．介護時に介護内容をチェックし、介護終了後、内容を見せながら被保険者記録再生機へ記録保存する。
１０７．要介護者（被保険者）
１０８．各医療・福祉事業者及び関係者を利用する際ＣＳＤカードを持参提出する。
１０９．各医療・福祉事業者及び関係者
１１０．病院
１１１．診療所
１１２．薬局
１１３．老人ホーム
１１４．老人休養ホーム
１１５．日帰り介護（ディケアサービス）
１１６．短期入所生活介護（ショートスイ）
１１７．老人福祉センター
１１８．老人介護支援センター
１１９．高齢者綜合相談センター
１２０．市町村及び特別区の福祉事務所
１２１．福祉用具賃貸・販売事業者
１２２．リハビリテーションサービス
１２３．老人ホームヘルプサービス
１２４．在宅配食サービス
１２５．在宅介護サービス
１２６．在宅入浴サービス
１２７．福祉用具賃貸・販売事業者
１２８．ドア部
１２９．ドア枠
１３０．色暗号読み取りレンズ
１３１．色暗号読み取りＣＣＤ
１３２．解析集積回路
１３３．挿入口
１３４．ドアロックシリンダー
１３５．開錠鍵
１３６．基本原色シートから決定した色暗号１〜ｎ
１３７．光デイスクと同様の製法の色暗号記録保存メディア
１３８．一番目の色
１３９．二番目の色
１４０．三番目の色
１４１．ｎ番目の色
【図１】
2004355590.tif 000004
【図２】
2004355590.tif 000005
【図３】
2004355590.tif 000006
【図４】
2004355590.tif 000007
【図５】
2004355590.tif 000008
【図６】
2004355590.tif 000009
【図７】
2004355590.tif 000010
【図８】
2004355590.tif 000011
【図９】
2004355590.tif 000012